(57)【要約】【課題】ユニットバスと躯体間のスペースに関わらず、配管の取り回しスペースを確保することができ、良好に配管を施工できるユニットバスの温水配管構造を提供する。【解決手段】防水パン２の下方から天井４の裏側へ温水配管を導く構造であって、防水パン２及び天井パネル４のコーナー部分に、切欠２ａ，４ａを設け、この切欠２ａ，４ａと整合する、一対の壁パネル３，３の端面１２ａ，１２ａが直交するコーナー部内に温水配管を施工する。【選択図】                図１
2004333070.tif 000002
【特許請求の範囲】
【請求項１】
防水パンの下方から天井裏へ温水配管を導く構造であって、前記防水パン及び天井のコーナー部分に切り欠きを設け、該切り欠きと整合する、一対の壁の端面が直交するコーナー部内に、前記温水配管を施工することを特徴とするユニットバスの温水配管構造。
【請求項２】
一方の壁の端面に固定部材を取り付け、該固定部材に温水配管を固定することを特徴とする請求項１に記載のユニットバスの温水配管構造。
【発明の詳細な説明】
【０００１】
【発明の属する技術分野】
この発明は、ユニットバスの温水配管構造に関するものである。
【０００２】
【従来の技術】
従来、図４に示すように、ユニットバス１は、底面を構成する防水パン２の周囲に複数枚の壁パネル３，３，３を建て付け、壁パネル３，３，３の上面に天井パネル４を取り付けて構成されており、この天井パネル４の裏側に浴室暖房機５を設置する場合、浴室暖房機５が電気式の場合は特に問題はないが、この浴室暖房機５が温水式である場合には、建物躯体６とユニットバス１の壁パネル３間の狭い隙間内に、温水配管７を取り回し、この温水配管７の一端を浴室暖房機５に接続するとともに、温水配管７の他端を、屋外等に設けられた熱源機８に接続する必要があった。
【０００３】
【特許文献１】
特許第３００２９６２号公報
【０００４】
【発明が解決しようとする課題】
特に近年においては、ユニットバス１内のスペースを広く確保するために、ユニットバス１のサイズが大きくなり、ユニットバス１の壁パネル３と躯体６間に殆ど隙間がなくなり、温水配管７を床下から天井に向けて取り回し配管することが極めて困難となるという問題点があった。
【０００５】
【課題を解決するための手段】
本発明は、上記従来の問題点に鑑み案出したものであって、ユニットバスと躯体間のスペースに関わらず、温水配管を良好に取り回すことのできるユニットバスの温水配管構造を提供せんことを目的とし、その第１の要旨は、防水パンの下方から天井裏へ温水配管を導く構造であって、前記防水パン及び天井のコーナー部分に切り欠きを設け、該切り欠きと整合する一対の壁の端面が直交するコーナー部内に、前記温水配管を施工することである。
また、第２の要旨は、一方の壁の端面に固定部材を取り付け、該固定部材に温水配管を固定することである。
【０００６】
【発明の実施の形態】
以下、本発明の実施例を図面に基づいて説明する。
図１は、ユニットバスを構成する防水パン２と、壁パネル３と、天井パネル４の要部斜視構成図である。
本例では、防水パン２と天井パネル４のそれぞれのコーナー部分に、予めコーナー切欠部２ａ，４ａを形成させておく。
防水パン２のコーナー切欠部２ａの上方には、直交状に建て付けられた一対の壁パネル３，３の端面１２ａ，１２ａが直角に対峙し、縦方向に直角状に凹みが形成されることとなり、防水パンの切欠部２ａから、壁パネル３，３の直交する端面１２ａ，１２ａに沿って、天井パネル４のコーナー切欠部４ａに至り、温水配管７を縦方向に良好に施工することができるものとなる。
【０００７】
即ち、壁パネル３は、室内側の化粧板１０の裏側が、角パイプで構成された複数の横フレーム１１，１１，１１と縦フレーム１２で補強されているが、この縦フレーム１２の端面１２ａは、室内側から裏側に向かって２０ｍｍ程度の厚み寸法を有するため、この縦フレーム１２の端面１２ａに沿って良好に温水配管７を縦方向に配設することができるものとなり、壁パネル３の裏側と躯体６間にスペースが殆どない場合でも、防水パン２及び天井パネル４のコーナー切欠部２ａ，４ａ内を通し、縦フレーム１２の端面１２ａに沿って、良好に温水配管７を施工できるものとなる。
【０００８】
なお、一方側の壁パネル３の縦フレーム１２の端面１２ａに固定部材１３を取り付け固定しておき、この固定部材１３，１３に温水配管７を嵌め込んで固定することができ、この場合は、温水配管７が固定部材１３，１３で固定されるため、使用中における循環湯の通水，停止に伴なうウォーターハンマーにより温水配管７が振動しても、躯体６やユニットバス１と干渉することがなく、異音の発生を防げるものとなる。
【０００９】
なお、図２には固定部材１３の拡大図を示すが、この固定部材１３は、ネジで縦フレーム１２の端面１２ａに固定状に取り付けられる固定片１３ａと、この固定片１３ａから対称円弧状に、右円弧片１３ｂと、左円弧片１３ｃが形成され、右円弧片１３ｂと左円弧片１３ｃ間には開口１５が形成されており、右円弧片１３ｂと左円弧片１３ｃの内側に温水配管７を嵌め込んで固定できるものである。なお、固定片１３ａにはネジを通すネジ孔１４が形成されている。
【００１０】
次に図３は、固定部材１３の変形例を示すものであり、図３の固定部材１３は、縦フレーム１２の端面１２ａに固定される固定片１３ａから、湾曲状の把持片１３ｄが可撓性樹脂で一体形成されて、把持片１３ｄの裏側は開口されており、把持片１３ｄ内に温水配管７を嵌め込んで固定できるものである。
なお、把持片１３ｄの先端側には、横方向に貫通してネジ用通し溝１６が形成されており、このネジ用通し溝１６内にネジ１７を通して、ネジ１７をネジ孔１４に通し、ネジ１７を縦フレーム１２に締め付けて、良好に固定部材１３を縦フレーム１２に取り付けることができるものである。
【００１１】
なお、温水配管７は、往き配管７ｂと戻り配管７ｃが内部に配管され、外周が直径２７ｍｍ程度の鞘管７ａで構成されており、この鞘管７ａを、固定部材１３の把持片１３ｄ内に嵌め込んで固定できるものである。
図３の固定部材１３では、裏側から温水配管７を容易に嵌め込んで施工することができ、施工が楽であり、固定部材１３内に嵌め込んだ状態では、ガタつきがなくなり、温水配管７の振動等を良好に防ぐことができるものとなる。
【００１２】
【発明の効果】
本発明は、防水パンの下方から天井裏へ温水配管を導く構造であって、防水パン及び天井のコーナー部分に切り欠きを設け、切り欠きと整合する、一対の壁の端面が直交するコーナー部内に、温水配管を施工することとしたため、温水配管を、防水パンに形成させた切り欠きを通し、一対の壁の端面が直交するコーナー部内を通して、天井の切り欠きを通し、天井裏へ良好に導くことができ、ユニットバスと躯体間のスペースに関わらず、配管を良好に取り回すスペースが確保されるものとなる。
【００１３】
また、一方の壁の端面に固定部材を取り付け、固定部材に温水配管を固定することとしたため、温水配管の施工が楽になり、ウォーターハンマー現象等により温水配管が振動しても、躯体やユニットバス等と干渉して異音が生ずることがなく、しっかりと温水配管が固定される効果を有する。
【図面の簡単な説明】
【図１】防水パンと壁パネルと天井パネルの要部斜視構成図である。
【図２】図１における固定部材の周辺の拡大斜視図である。
【図３】固定部材の変更例を示す要部拡大斜視図である。
【図４】従来のユニットバスと躯体間に温水配管を施工した状態の概略構成図である。
【符号の説明】
１    ユニットバス
２    防水パン
２ａ    コーナー切欠部
３    壁パネル
４    天井パネル
４ａ    コーナー切欠部
５    浴室暖房機
６    躯体
７    温水配管
７ａ    鞘管
８    熱源機
１２    縦フレーム
１２ａ    端面
１３    固定部材
１３ａ    固定片
１３ｂ    右円弧片
１３ｃ    左円弧片
１３ｄ    把持片
【図１】
2004333070.tif 000003
【図２】
2004333070.tif 000004
【図３】
2004333070.tif 000005
【図４】
2004333070.tif 000006